(57)【要約】【課題】作業性の向上を図ることができる釣り用衣服を提供する。【解決手段】表生地１０，１１と裏生地１６を備え、前記表生地１０，１１及び裏生地１６のうちの一方を、所定の処理を施した生地から構成し、他方を、所定の処理が施された生地とは異なる処理を施した生地から構成し、それら構成された表生地と裏生地とを縫い合わせることにより構成し、前記表生地１０，１１及び裏生地１６のうちの一方を、紫外線を遮蔽するための処理を施した紫外線遮蔽用生地から構成し、他方を、防虫処理を施した防虫用生地から構成した。【選択図】図１
2010144264.tif 000002
【特許請求の範囲】
【請求項１】
表生地と裏生地を備え、前記表生地及び裏生地のうちの一方を、所定の処理を施した生地から構成し、他方を、所定の処理が施された生地とは異なる処理を施した生地から構成し、それら構成された表生地と裏生地とを縫い合わせることにより構成したことを特徴とする釣り用衣服。
【請求項２】
前記表生地及び裏生地のうちの一方を、紫外線を遮蔽するための処理を施した紫外線遮蔽用生地から構成し、他方を、防虫処理を施した防虫用生地から構成したことを特徴とする請求項１に記載の釣り用衣服。
【請求項３】
前記紫外線遮蔽用生地を表生地とし、該紫外線遮蔽用生地は、メッシュ状の生地に紫外線を反射するスパッタリング加工が施されたものでなり、前記防虫用生地を裏生地とし、該防虫用生地は、メッシュ状の生地に防蚊処理が施されたものでなる請求項２に記載の釣り用衣服。
【発明の詳細な説明】
【技術分野】
【０００１】
本発明は、釣り用衣服に関する。
【背景技術】
【０００２】
上記釣り用衣服は、暑い夏などの日差しの強い季節での釣りを快適に行えるように、薄い生地やメッシュ状の生地などから構成されている。
特に、前記メッシュ状の生地は、網目を通して紫外線が皮膚に直接照射されることになるため、生地に紫外線カット加工を施すことが行われている。
また、夏場の夜間などにおいて、虫などによって釣りが邪魔されることがないように生地に防虫処理を施すことも行われている。
そして、それら紫外線カット加工と防虫処理加工とが施された生地により構成された衣服が既に提案されている（例えば、特許文献１参照）。
【特許文献１】特開２０００−３０３３５４号公報（段落００１８参照）
【発明の開示】
【発明が解決しようとする課題】
【０００３】
特許文献１の生地は、１枚の生地を構成するメッシュ繊維層にスパッタリング処理により金属付着層を付着させた後、防虫及び忌避効果を有する物質を金属付着層の上からコートすることにより防虫性能を備えさせている。
つまり、１枚の生地に２種類の処理を施すことになるため、紫外線カット加工を行う第１作業工程が終了してからでないと、防虫処理を行う第２作業工程を行うことができない。そのため、作業性が悪く、生産リードタイムが悪化していた。
【０００４】
本発明が前述の状況に鑑み、解決しようとするところは、作業性の向上を図ることができる釣り用衣服を提供することを課題とする。
【課題を解決するための手段】
【０００５】
本発明の釣り用衣服は、表生地と裏生地を備え、前記表生地及び裏生地のうちの一方を、所定の処理を施した生地から構成し、他方を、所定の処理が施された生地とは異なる処理を施した生地から構成し、それら構成された表生地と裏生地とを縫い合わせることにより構成したことを特徴としている。
【０００６】
上記のように、処理の異なる２枚の生地を別の作業工程でそれぞれ製造することができることから、１枚の生地に２種類の処理を順次行う場合に比べて、処理時間を飛躍的に短縮させることができる。そして、それぞれ製造された２枚の生地を縫い合わせることによって、釣り用衣服を構成することができる。
【０００７】
また、本発明の釣り用衣服は、前記表生地及び裏生地のうちの一方を、紫外線を遮蔽するための処理を施した紫外線遮蔽用生地から構成し、他方を、防虫処理を施した防虫用生地から構成したものであってもよい。
【０００８】
また、本発明の釣り用衣服は、前記紫外線遮蔽用生地を表生地とし、該紫外線遮蔽用生地は、メッシュ状の生地に紫外線を反射するスパッタリング加工が施されたものでなり、前記防虫用生地を裏生地とし、該防虫用生地は、メッシュ状の生地に防蚊処理が施されたものであってもよい。
【０００９】
上記のように、紫外線遮蔽用生地を表生地とし、防虫用生地を裏生地とすることによって、次のような不都合を解消することができる。つまり、前記とは逆に、紫外線遮蔽用生地を裏生地とし、防虫用生地を表生地とすると、防虫用生地により紫外線遮蔽用生地の一部が遮られて、紫外線遮蔽用生地による紫外線反射効果を十分に発揮させることができないだけでなく、紫外線反射作用により発生する熱により紫外線遮蔽用生地が暖かくなる。その結果、紫外線遮蔽用生地が体に触れる裏側に位置していることから、生地の熱が体側に伝わり易くなるという不都合が発生する。
【発明の効果】
【００１０】
２枚の生地に異なる処理をそれぞれ行う構成にすることによって、それぞれが独立した作業として行うことができるから、従来のように一枚の生地に２種類の処理を順次行う構成に比べて、作業時間を短縮して作業性の向上を図ることができ、生産リードタイムを短くすることができる。
【００１１】
紫外線遮蔽用生地を表生地とし、防虫用生地を裏生地とすることによって、２種類の処理を一枚の生地に施して釣り用衣服を構成した場合に、それら２種類の処理により発生する効果を互いに打ち消すようなことがなく、２種類の性能をそれぞれ良好に発揮させて快適に過ごすことができる釣り用衣服を提供することができる。
【発明を実施するための最良の形態】
【００１２】
図１に、本発明の釣り用衣服の一例である袖なしの上着（ベスト）を示しているが、袖のある上着や下着（ズボンなど）であってもよい。尚、前記ベストとしては、磯釣りの際に装着されるフローティングベストや、鮎釣りの際に装着される鮎釣り用ベスト等がある。
【００１３】
前記ベストは、上着本体を構成する前身頃１と、この前身頃１の左右両端に連結される後身頃２とを備え、これら前身頃１及び後身頃２を構成する生地の大部分を通気性のよいメッシュ状の生地から構成することによって、高い通気性と軽量化を確保することができ、好ましいが、通気性を有さない生地などから構成することもできる。
【００１４】
前記前身頃１は、左前身頃３Ａと右前身頃３Ｂとからなり、これら左前身頃３Ａ及び右前身頃３Ｂの左右方向中心部側端に備えさせたベスト着脱用スライドファスナー４を開閉操作することで身体にベストを着脱することができるようになっているが、他の構成であってもよい。
【００１５】
また、図１に示すように、前記左前身頃３Ａの上側部分に上ポケット５を備えるとともに、左前身頃３Ａの下側部分に下ポケット６を備えている。又、右前身頃３Ｂの上側部分に上ポケット７を備えるとともに、右前身頃３Ｂの下側部分に左右方向において隙間のない状態で併設される左右一対の下ポケット８，９を備えている。又、前記ポケット５，６，７，８，９は、それぞれにスライドファスナーを備えており、スライドファスナーのスライダーをスライド操作することによって、ポケット５，６，７，８，９の開口を開閉操作することができる。
【００１６】
前記全てのポケット５，６，７，８，９は、メッシュ状の生地から構成されている。また、前記ポケット５，６，７，８，９は、ベストの左右の肩よりも少し下がった位置からベストの下端までの間に配置される左側表生地１０及び右側表生地１１に縫い付けられ、それら左側表生地１０及び右側表生地１１も、メッシュ状の生地から構成されている。そして、これらメッシュ状生地が、紫外線を遮蔽するための処理を施した紫外線遮蔽用生地から構成されている。
【００１７】
また、左右の肩から後身頃２の背中の上部にかけて、前記メッシュ状の生地よりも孔が大きいメッシュ状の生地１２を縫い合わせている。この生地１２も、前記紫外線遮蔽用生地から構成してもよい。
【００１８】
前記孔が大きいメッシュ状の生地１２にしているのは、図１に示す背中が当たる裏生地１３が、汗をよく吸い上げることができるように厚みのある生地で構成されていることから、通気性が悪化することを防ぐためである。そして、前記裏生地１３も他の生地の孔の大きさよりも大きな孔を有するメッシュ状に構成している。
【００１９】
また、後身頃２の他の上下の表生地１４，１５も、メッシュ状の生地から構成するとともに、紫外線遮蔽用生地から構成している。
【００２０】
前記紫外線遮蔽用生地は、メッシュ状の生地にチタン等の金属を生地に付着させるスパッタリング加工が施されて構成される。従って、夏の暑い日差しの紫外線を紫外線遮蔽用生地が反射することによって、皮膚が日焼けすることを防止することができる。尚、スパッタリング加工は超微粒子を生地の表面に付着させるため、剥がれや変色において有利になるが、蒸着、電気鍍金、化学鍍金などにより、金属を生地に付着させる構成であってもよい。
【００２１】
前記前身頃１の裏生地（図示せず）及び後身頃２の裏生地１６も、表生地と同様にメッシュ状の生地から構成され、その生地に防虫処理を施した防虫用生地から構成されている。尚、前記裏生地１３も、防虫用生地から構成してもよい。
【００２２】
前記防虫用生地は、メッシュ状の生地に防蚊処理が施されたものから構成することが好ましく、このように構成すれば、特に蚊がとまっても、刺されないという効果がある。前記防蚊処理は、忌避効果のある処理液に生地を浸けることによって、生地の表面に忌避層をコートするものである。
【００２３】
前記のように紫外線遮蔽用生地でなる表生地と防虫用生地でなる裏生地とを縫着することによって、釣り用衣服を構成することによって、紫外線遮蔽効果と防虫効果の両方を同時に発揮させることができる利点がある。
【００２４】
また、紫外線遮蔽用生地と防虫用生地とを別々に製造することによって、製造時に何ら制約を受けることがないだけでなく、紫外線遮蔽用生地や防虫用生地に代えて、他の処理が施された生地を構成することも容易に行える。例えば、消臭処理、抗菌処理、撥水処理、吸水処理などが施された生地を構成しておけば、これらの中から２種類の生地を選択して組み合わせることが可能になり、衣服のバリエーションを飛躍的に増大させることができる。
【００２５】
尚、本発明は、上記実施形態に限定されるものではなく、本発明の要旨を逸脱しない範囲で種々の変更が可能である。
【００２６】
例えば、前記実施形態では、表生地を紫外線遮蔽用生地から構成し、裏生地を防虫用生地から構成したが、場合によっては、表生地を防虫用生地から構成し、裏生地を紫外線遮蔽用生地から構成して実施することもできる。
【図面の簡単な説明】
【００２７】
【図１】本発明の釣り用衣服の正面図である。
【図２】本発明の釣り用衣服の背面図である。
【符号の説明】
【００２８】
１…前身頃、２…後身頃、３Ａ…左前身頃、３Ｂ…右前身頃、４…ベスト着脱用スライドファスナー、５，６，７，８，９…ポケット、１０…左側表生地、１１…右側表生地、１２…生地、１３…裏生地、１４，１５…表生地、１６…裏生地
【図１】
2010144264.tif 000003
【図２】
2010144264.tif 000004